(57)【特許請求の範囲】
【請求項１】
ユーザに関するユーザ情報に基づいて、前記ユーザに配信する動画情報に関する複数のサムネイルを決定する決定部と、
前記決定部により決定された複数のサムネイルであって、当該複数のサムネイルのうち前記ユーザが最も関心の高い対象を含むサムネイルが最初に表示され、表示時間に応じて端末装置における表示領域に表示されるサムネイルが変動する複数のサムネイルを配信する配信部と、
を備えたことを特徴とする決定装置。
【請求項２】
ユーザに関するユーザ情報に基づいて、前記ユーザに配信する動画情報に関する複数のサムネイル、及び所定の基準に基づいて当該複数のサムネイルの各々の表示順を決定する決定部と、
前記決定部により決定された複数のサムネイルであって、当該複数のサムネイルのうち前記ユーザが最も関心の高い対象を含むサムネイルが最初に表示され、前記表示順に基づいて端末装置における表示領域に表示されるサムネイルが切り替わる複数のサムネイルを配信する配信部と、
を備えたことを特徴とする決定装置。
【請求項３】
前記配信部は、
表示時間に応じて端末装置における表示領域に表示されるサムネイルが変動する前記複数のサムネイルを配信する
ことを特徴とする請求項２に記載の決定装置。
【請求項４】
前記動画情報から生成された複数のサムネイルであって、各サムネイルに含まれる対象に関する情報が当該各サムネイルに関連付けられた複数のサムネイルを取得する取得部、
をさらに備え、
前記決定部は、
前記対象に関する情報が関連付けられた複数のサムネイルから、前記対象に関する情報と前記ユーザ情報とに基づいて、前記ユーザに配信する前記動画情報に関する複数のサムネイルを決定する
ことを特徴とする請求項１〜３のいずれか１項に記載の決定装置。
【請求項５】
前記決定部は、
前記動画情報の各サムネイルとともに表示される文字情報または画像情報に基づいて、前記各サムネイルを決定する
ことを特徴とする請求項１〜４のいずれか１項に記載の決定装置。
【請求項６】
前記決定部は、
所定のネットワークサービスにおける前記動画情報に関する情報に基づいて、前記複数のサムネイルを決定する
ことを特徴とする請求項１〜５のいずれか１項に記載の決定装置。
【請求項７】
前記配信部は、
端末装置における表示領域の位置を変動させるユーザ操作に応じて前記表示領域に表示されるサムネイルが変動する前記複数のサムネイルを配信する
ことを特徴とする請求項１〜６のいずれか１項に記載の決定装置。
【請求項８】
前記配信部は、
所定のユーザ操作がされた際に、前記表示領域に表示されるサムネイルに対応する位置から再生される前記動画情報を配信する
ことを特徴とする請求項１〜７のいずれか１項に記載の決定装置。
【請求項９】
コンピュータが実行する決定方法であって、
ユーザに関するユーザ情報に基づいて、前記ユーザに配信する動画情報に関する複数のサムネイルを決定する決定工程、
前記決定工程により決定された複数のサムネイルであって、当該複数のサムネイルのうち前記ユーザが最も関心の高い対象を含むサムネイルが最初に表示され、表示時間に応じて端末装置における表示領域に表示されるサムネイルが変動する複数のサムネイルを配信する配信工程と、
を含むことを特徴とする決定方法。
【請求項１０】
ユーザに関するユーザ情報に基づいて、前記ユーザに配信する動画情報に関する複数のサムネイルを決定する決定手順、
前記決定手順により決定された複数のサムネイルであって、当該複数のサムネイルのうち前記ユーザが最も関心の高い対象を含むサムネイルが最初に表示され、表示時間に応じて端末装置における表示領域に表示されるサムネイルが変動する複数のサムネイルを配信する配信手順と、
をコンピュータに実行させることを特徴とする決定プログラム。
【請求項１１】
端末装置であって、
前記端末装置を利用するユーザに関するユーザ情報に基づいて決定された動画情報に関する複数のサムネイルを受信する受信部と、
前記受信部により受信された前記複数のサムネイルを所定の表示領域に表示時間に応じて表示し、当該複数のサムネイルのうち前記ユーザが最も関心の高い対象を含むサムネイルが最初に表示する表示部と、
を備えたことを特徴とする端末装置。
【請求項１２】
端末装置が実行するプログラムであって、
前記端末装置を利用するユーザに関するユーザ情報に基づいて決定された動画情報に関する複数のサムネイルを受信する受信手順と、
前記受信手順により受信された前記複数のサムネイルを所定の表示領域に表示時間に応じて表示し、当該複数のサムネイルのうち前記ユーザが最も関心の高い対象を含むサムネイルが最初に表示する表示手順と、
を端末装置に実行させることを特徴とする表示プログラム。
【請求項１３】
コンピュータが実行する決定方法であって、
ユーザに関するユーザ情報に基づいて、前記ユーザに配信する動画情報に関する複数のサムネイル、及び所定の基準に基づいて当該複数のサムネイルの各々の表示順を決定する決定工程と、
前記決定工程により決定された複数のサムネイルであって、当該複数のサムネイルのうち前記ユーザが最も関心の高い対象を含むサムネイルが最初に表示され、前記表示順に基づいて端末装置における表示領域に表示されるサムネイルが切り替わる複数のサムネイルを配信する配信工程と、
を含むことを特徴とする決定方法。
【請求項１４】
ユーザに関するユーザ情報に基づいて、前記ユーザに配信する動画情報に関する複数のサムネイル、及び所定の基準に基づいて当該複数のサムネイルの各々の表示順を決定する決定手順と、
前記決定手順により決定された複数のサムネイルであって、当該複数のサムネイルのうち前記ユーザが最も関心の高い対象を含むサムネイルが最初に表示され、前記表示順に基づいて端末装置における表示領域に表示されるサムネイルが切り替わる複数のサムネイルを配信する配信手順と、
をコンピュータに実行させることを特徴とする決定プログラム。
【請求項１５】
端末装置であって、
前記端末装置を利用するユーザに関するユーザ情報に基づいて決定された動画情報に関する複数のサムネイルであって、所定の基準に基づいて各々の表示順が決定された複数のサムネイルを受信する受信部と、
前記受信部により受信された前記複数のサムネイルを前記所定の基準に基づく順序で表示し、当該複数のサムネイルのうち前記ユーザが最も関心の高い対象を含むサムネイルが最初に表示する表示部と、
を備えたことを特徴とする端末装置。
【請求項１６】
端末装置が実行するプログラムであって、
前記端末装置を利用するユーザに関するユーザ情報に基づいて決定された動画情報に関する複数のサムネイルであって、所定の基準に基づいて各々の表示順が決定された複数のサムネイルを受信する受信手順と、
前記受信手順により受信された前記複数のサムネイルを前記所定の基準に基づく順序で表示し、当該複数のサムネイルのうち前記ユーザが最も関心の高い対象を含むサムネイルが最初に表示する表示手順と、
を端末装置に実行させることを特徴とする表示プログラム。
【発明の詳細な説明】
【技術分野】
【０００１】
本発明は、決定装置、決定方法、決定プログラム、端末装置、及び表示プログラムに関する。
【背景技術】
【０００２】
従来、動画情報におけるシーン変化等に基づいてサムネイルを生成する技術や動画情報のサムネイルを選択可能とする技術が提供されている。例えば、複数のテンプレートのいずれかに基づいて広告クリエイティブを作成する技術が提供されている。
【先行技術文献】
【特許文献】
【０００３】
【特許文献１】特開２００９−２６７４５７号公報
【特許文献２】特開２００４−１６６１３１号公報
【特許文献３】国際公開第２０１１／２１２８９号
【発明の概要】
【発明が解決しようとする課題】
【０００４】
しかしながら、上記の従来技術ではユーザに応じて適切なサムネイルを決定することが難しい。例えば、シーン変化等に基づいてユーザが関心のないシーンからサムネイルが生成された場合、そのサムネイルはユーザに注目させることが難しい。
【０００５】
本願は、上記に鑑みてなされたものであって、ユーザに応じて適切なサムネイルを決定する決定装置、決定方法、決定プログラム、端末装置、及び表示プログラムを提供することを目的とする。
【課題を解決するための手段】
【０００６】
本願に係る決定装置は、ユーザに関するユーザ情報に基づいて、前記ユーザに配信する動画情報のサムネイルを決定する決定部、を備えたことを特徴とする。
【発明の効果】
【０００７】
実施形態の一態様によれば、ユーザに応じて適切なサムネイルを決定することができるという効果を奏する。
【図面の簡単な説明】
【０００８】
【図１】図１は、実施形態に係る配信処理の一例を示す図である。
【図２】図２は、実施形態に係る配信システムの構成例を示す図である。
【図３】図３は、実施形態に係る配信装置の構成例を示す図である。
【図４】図４は、実施形態に係る動画情報記憶部の一例を示す図である。
【図５】図５は、実施形態に係るユーザ情報記憶部の一例を示す図である。
【図６】図６は、実施形態に係る端末装置の構成例を示す図である。
【図７】図７は、変形例に係る配信処理の一例を示す図である。
【図８】図８は、変形例に係る端末装置における時間に基づく表示変更の一例を示す図である。
【図９】図９は、変形例に係る端末装置における時間に基づく表示変更の一例を示すフローチャートである。
【図１０】図１０は、変形例に係る端末装置におけるユーザ操作に基づく表示変更の一例を示す図である。
【図１１】図１１は、変形例に係る端末装置におけるユーザ操作に基づく表示変更の一例を示すフローチャートである。
【図１２】図１２は、配信装置の機能を実現するコンピュータの一例を示すハードウェア構成図である。
【発明を実施するための形態】
【０００９】
以下に、本願に係る決定装置、決定方法、決定プログラム、端末装置、及び表示プログラムを実施するための形態（以下、「実施形態」と呼ぶ）について図面を参照しつつ詳細に説明する。なお、この実施形態により本願に係る決定装置、決定方法、決定プログラム、端末装置、及び表示プログラムが限定されるものではない。また、以下の各実施形態において同一の部位には同一の符号を付し、重複する説明は省略される。
【００１０】
（実施形態）
〔１．配信処理〕
まず、図１を用いて、実施形態に係る配信処理の一例について説明する。図１は、実施形態に係る配信処理の一例を示す図である。図１では、配信装置１００（図３参照）は、ユーザ情報に基づいて決定した動画情報のサムネイルを端末装置１０に配信する配信サービスを提供する。図１に示す例においては、配信装置１００が、３人のユーザＵ１〜Ｕ３の各々のユーザ情報に基づいて、動画情報ＭＶ１１（以下、単に「動画ＭＶ１１」とする場合がある）からサムネイルを決定する場合を示す。図１では、配信装置１００がユーザ情報としてユーザが関心のある対象に関する情報を用いる場合を示す。以下では、ユーザＵ１が利用する端末装置１０を端末装置１０Ａとし、ユーザＵ２が利用する端末装置１０を端末装置１０Ｂとし、ユーザＵ３が利用する端末装置１０を端末装置１０Ｃとする。なお、端末装置１０Ａ、１０Ｂ、１０Ｃを区別しない場合、端末装置１０とする。
【００１１】
図１に示すように、動画ＭＶ１１は、複数のシーンを含む映画である。例えば、動画ＭＶ１１は、開始から５分後に対象ＴＧ１１である俳優Ａが映ったシーンＳＮ１１を含む。ここでいう対象は、動画のシーン内に含まれる人物等の物体を示す。また、例えば、動画ＭＶ１１は、開始から１０分後に対象ＴＧ１２である俳優Ｂが映ったシーンＳＮ１２を含む。また、例えば、動画ＭＶ１１は、開始から１５分後に対象ＴＧ１３である歌手Ａが映ったシーンＳＮ１３を含む。また、例えば、動画ＭＶ１１は、開始から２０分後に対象ＴＧ１４であるサッカーＡが映ったシーンＳＮ１４を含む。また、例えば、動画ＭＶ１１は、開始から２５分後に対象ＴＧ１５である車Ａが映ったシーンＳＮ１５を含む。このように、動画ＭＶ１１は、対象ＴＧ１１〜ＴＧ１５が映った複数のシーンＳＮ１１〜ＳＮ１５等を含む。
【００１２】
まず、ユーザＵ１の端末装置１０Ａに配信する動画ＭＶ１１のサムネイルを決定する場合を説明する。図１に示すように、ユーザＵ１は、俳優Ａに関心があるユーザである。そこで、配信装置１００は、ユーザＵ１の端末装置１０Ａに配信する動画ＭＶ１１のサムネイルを、対象ＴＧ１１である俳優Ａが映っているシーンＳＮ１１に基づくサムネイルＴＮ１１に決定する。そして、配信装置１００は、俳優Ａが映っているシーンＳＮ１１から生成したサムネイルＴＮ１１をユーザＵ１の端末装置１０Ａに配信する（ステップＳ１１）。
【００１３】
そして、ユーザＵ１の端末装置１０Ａには、動画ＭＶ１１のサムネイルとして、サムネイルＴＮ１１が配信される。図１では、端末装置１０Ａの画面には、ユーザＵ１へのおすすめ画像として、動画ＭＶ１１を表示する表示領域ＡＲ１１に俳優Ａを含むサムネイルＴＮ１１が表示される。このように、俳優Ａに関心のあるユーザＵ１の端末装置１０Ａには、動画ＭＶ１１のサムネイルとして、俳優Ａを含むサムネイルＴＮ１１が表示される。例えば、動画ＭＶ１１である映画の主演がシーンＳＮ１２に映っている対象ＴＧ１２である俳優Ｂであっても、ユーザＵ１の端末装置１０Ａには、俳優Ａを含むサムネイルＴＮ１１が表示される。これにより、配信装置１００は、ユーザＵ１が動画ＭＶ１１に注目する可能性を高めることができる。なお、端末装置１０Ａの画面には、ユーザＵ１へのおすすめ画像として、動画ＭＶ１１以外の他の動画情報ＭＶ２１を表示する表示領域ＡＲ２１には動画情報ＭＶ２１に関するサムネイルＴＮ２１が表示される。
【００１４】
次に、ユーザＵ２の端末装置１０Ｂに配信する動画ＭＶ１１のサムネイルを決定する場合を説明する。図１に示すように、ユーザＵ２は、歌手Ａに関心があるユーザである。そこで、配信装置１００は、ユーザＵ２の端末装置１０Ｂに配信する動画ＭＶ１１のサムネイルを、対象ＴＧ１３である歌手Ａが映っているシーンＳＮ１３に基づくサムネイルＴＮ１２に決定する。そして、配信装置１００は、歌手Ａが映っているシーンＳＮ１３から生成したサムネイルＴＮ１２をユーザＵ２の端末装置１０Ｂに配信する（ステップＳ１２）。
【００１５】
そして、ユーザＵ２の端末装置１０Ｂには、動画ＭＶ１１のサムネイルとして、サムネイルＴＮ１２が配信される。図１では、端末装置１０Ｂの画面には、ユーザＵ２へのおすすめ画像として、動画ＭＶ１１を表示する表示領域ＡＲ１１に歌手Ａを含むサムネイルＴＮ１２が表示される。このように、歌手Ａに関心のあるユーザＵ２の端末装置１０Ｂには、動画ＭＶ１１のサムネイルとして、歌手Ａを含むサムネイルＴＮ１２が表示される。例えば、歌手Ａが映っているシーンＳＮ１３が、動画ＭＶ１１である映画のストーリに関連性の低いシーンであっても、ユーザＵ２の端末装置１０Ｂには、歌手Ａを含むサムネイルＴＮ１２が表示される。これにより、配信装置１００は、ユーザＵ２が動画ＭＶ１１に注目する可能性を高めることができる。なお、端末装置１０Ｂの画面には、ユーザＵ２へのおすすめ画像として、動画ＭＶ１１以外の他の動画情報ＭＶ２１を表示する表示領域ＡＲ２１には動画情報ＭＶ２１に関するサムネイルＴＮ２１が表示される。
【００１６】
次に、ユーザＵ３の端末装置１０Ｃに配信する動画ＭＶ１１のサムネイルを決定する場合を説明する。図１に示すように、ユーザＵ３は、車に関心があるユーザである。このように、ユーザが関心のある対象は、俳優Ａや歌手Ａのように具体的な対象に限らず、旅行や野球等の所定の概念に対応する抽象的な対象であってもよい。なお、ユーザＵ３は、具体的な車種を示す車Ａや車Ｂなどに関心があるユーザであってもよい。
【００１７】
上述のように、ユーザＵ３は、車に関心があるユーザである。そこで、配信装置１００は、ユーザＵ３の端末装置１０Ｃに配信する動画ＭＶ１１のサムネイルを、対象ＴＧ１５である車Ａが映っているシーンＳＮ１５に基づくサムネイルＴＮ１３に決定する。そして、配信装置１００は、車Ａが映っているシーンＳＮ１５から生成したサムネイルＴＮ１３をユーザＵ３の端末装置１０Ｃに配信する（ステップＳ１３）。
【００１８】
そして、ユーザＵ３の端末装置１０Ｃには、動画ＭＶ１１のサムネイルとして、サムネイルＴＮ１３が配信される。図１では、端末装置１０Ｃの画面には、ユーザＵ３へのおすすめ画像として、動画ＭＶ１１を表示する表示領域ＡＲ１１に車Ａを含むサムネイルＴＮ１３が表示される。このように、車Ａに関心のあるユーザＵ３の端末装置１０Ｃには、動画ＭＶ１１のサムネイルとして、車Ａを含むサムネイルＴＮ１３が表示される。例えば、車Ａが映っているシーンＳＮ１５が、動画ＭＶ１１である映画のエンドロール等のシーンであっても、ユーザＵ３の端末装置１０Ｃには、車Ａを含むサムネイルＴＮ１３が表示される。これにより、配信装置１００は、ユーザＵ３が動画ＭＶ１１に注目する可能性を高めることができる。なお、端末装置１０Ｃの画面には、ユーザＵ３へのおすすめ画像として、動画ＭＶ１１以外の他の動画情報ＭＶ２１を表示する表示領域ＡＲ２１には動画情報ＭＶ２１に関するサムネイルＴＮ２１が表示される。
【００１９】
上述したように、配信装置１００は、各ユーザの関心のある対象に基づいて、動画情報から各端末装置１０へ配信するサムネイルを決定する。そして、配信装置１００は、決定したサムネイルを各ユーザの端末装置１０へ配信する。これにより、配信装置１００は、各ユーザが注目する可能性が高いサムネイルを各ユーザの端末装置１０に表示させることができる。したがって、配信装置１００は、ユーザに応じて適切なサムネイルを決定することができる。
【００２０】
なお、配信装置１００は、種々の従来技術を用いて、動画情報からサムネイルを生成してもよい。そして、配信装置１００は、各サムネイルに含まれる対象に関する情報を各サムネイルに関連付けてもよい。すなわち、配信装置１００は、サムネイルと、各サムネイルに含まれる対象に関する情報と関連付けて記憶してもよい。また、配信装置１００は、種々の従来技術を用いて動画情報から生成されたサムネイルであって、当該サムネイルに含まれる対象に関する情報が関連付けられたサムネイルを外部の情報処理装置から取得してもよい。また、配信装置１００は、ユーザに配信するサムネイルにするシーンを決定した後、サムネイルを生成してもよいし、予め所定のシーンのサムネイルを生成してもよい。なお、上記のいずれの場合であっても、配信装置１００は、図１に示す処理を行う。
【００２１】
また、予め所定のシーンのサムネイルを生成する場合、配信装置１００は、対象に関する情報が関連付けられたサムネイルから、対象に関する情報とユーザ情報とに基づいて、ユーザに配信する動画情報のサムネイルを決定してもよい。例えば、上記の例において、配信装置１００は、予めシーンＳＮ１１〜ＳＮ１５のサムネイルを生成し、各シーンＳＮ１１〜ＳＮ１５のサムネイルに含まれる対象ＴＧ１１〜ＴＧ１５を各々対応するサムネイルに対応付けてもよい。例えば、シーンＳＮ１１のサムネイルＴＮ１１には、対象ＴＧ１１である俳優Ａに関する情報が関連付けられる。例えば、シーンＳＮ１３のサムネイルＴＮ１２には、対象ＴＧ１３である歌手Ａに関する情報が関連付けられる。そして、配信装置１００は、対象ＴＧ１１〜ＴＧ１５に各々関連付けられた複数のサムネイルから、対象に関する情報とユーザ情報とに基づいて、ユーザに配信する動画情報のサムネイルを決定してもよい。
【００２２】
〔２．配信システムの構成〕
図２に示すように、配信システム１には、端末装置１０Ａや端末装置１０Ｂや端末装置１０Ｃ等の複数の端末装置１０と、配信装置１００とが含まれる。端末装置１０と、配信装置１００とは所定のネットワークＮを介して、有線または無線により通信可能に接続される。図２は、実施形態に係る配信システムの構成例を示す図である。なお、図２に示した配信システム１には、１台の端末装置１０や、複数台の配信装置１００が含まれてもよい。
【００２３】
端末装置１０は、ユーザによって利用される情報処理装置である。端末装置１０は、ユーザによる種々の操作を受け付ける。なお、以下では、端末装置１０をユーザと表記する場合がある。すなわち、以下では、ユーザを端末装置１０と読み替えることもできる。なお、上述した端末装置１０は、例えば、スマートフォンや、タブレット型端末や、ノート型ＰＣ（Personal  Computer）や、デスクトップＰＣや、携帯電話機や、ＰＤＡ（Personal  Digital  Assistant）等により実現される。
【００２４】
配信装置１００は、端末装置１０へ動画情報やサムネイルを配信する配信サービスを提供する情報処理装置である。すなわち、配信装置１００は、ユーザ情報に基づいて、ユーザに配信する動画情報のサムネイルを決定する決定装置である。また、配信装置１００は、決定したサムネイルを端末装置１０へ配信する。
【００２５】
〔３．配信装置の構成〕
次に、図３を用いて、実施形態に係る配信装置１００の構成について説明する。図３は、実施形態に係る配信装置１００の構成例を示す図である。図３に示すように、配信装置１００は、通信部１１０と、記憶部１２０と、制御部１３０とを有する。なお、配信装置１００は、配信装置１００の管理者等から各種操作を受け付ける入力部（例えば、キーボードやマウス等）や、各種情報を表示するための表示部（例えば、液晶ディスプレイ等）を有してもよい。
【００２６】
通信部１１０は、例えば、ＮＩＣ（Network  Interface  Card）等によって実現される。そして、通信部１１０は、ネットワークと有線または無線で接続され、端末装置１０との間で情報の送受信を行う。
【００２７】
（記憶部１２０）
記憶部１２０は、例えば、ＲＡＭ（Random  Access  Memory）、フラッシュメモリ（Flash  Memory）等の半導体メモリ素子、または、ハードディスク、光ディスク等の記憶装置によって実現される。実施形態に係る記憶部１２０は、図３に示すように、動画情報記憶部１２１と、ユーザ情報記憶部１２２とを有する。
【００２８】
（動画情報記憶部１２１）
実施形態に係る動画情報記憶部１２１は、動画に関する各種情報を記憶する。図４に、実施形態に係る動画情報記憶部１２１の一例を示す。図４に示す動画情報記憶部１２１は、「動画ＩＤ」、「時間」、「分類」、「シーン」といった項目を有する。
【００２９】
「動画ＩＤ」は、動画情報を識別するための識別情報を示す。「時間」は、対応する動画情報の時間を示す。また、「分類」は、対応する動画情報の分類を示す。また、「シーン」は、対応する動画情報に含まれるシーンの動画情報中における位置や対象を示す。
【００３０】
例えば、図４に示す例において、動画ＩＤ「ＭＶ１１」により識別される動画情報の時間は「１時間」であり、分類は「映画」であることを示す。動画ＩＤ「ＭＶ１１」により識別される動画情報には、「５〜６分」の間に俳優Ａが映っているシーン（図１に示すシーンＳＮ１１に対応）が含まれ、「１０〜１５分」の間に俳優Ｂが映っているシーン（図１に示すシーンＳＮ１２に対応）が含まれ、「２０〜２３分」の間に歌手Ａが映っているシーン（図１に示すシーンＳＮ１３に対応）が含まれることを示す。なお、配信装置１００は、図４に示すような動画情報に含まれるシーンの抽出を、種々の従来技術を適宜用いて行ってもよい。例えば、配信装置１００は、外部の情報処理装置から動画情報に含まれるシーンに関する情報を取得してもよい。また、例えば、動画（画像）における物体（対象）の認識による情報の抽出は、例えば、Ｒ−ＣＮＮ(Regions  with  Convolutional  Neural  Network)等の画像認識技術を用いた画像処理を適宜用いて行われてもよい。画像における物体の認識による情報の抽出は、例えば、配信装置１００の決定部１３３が行ってもよい。また、配信装置１００は、所定の外部処理装置が動画（画像）における対象の認識により抽出した情報を取得してもよい。
【００３１】
また、動画情報記憶部１２１は、動画ＩＤにより識別される動画情報を記憶する。なお、動画情報記憶部１２１は、上記に限らず、目的に応じて種々の情報を記憶してもよい。例えば、動画情報記憶部１２１は、動画情報の格納場所を示すファイルパス名などを記憶してもよい。また、動画情報記憶部１２１は、動画情報から生成されたサムネイルであって、当該サムネイルに含まれる対象に関する情報が関連付けられたサムネイルに関する情報を記憶してもよい。動画情報記憶部１２１は、動画情報から生成されたサムネイルを対応するシーンに関連付けて記憶してもよい。
【００３２】
（ユーザ情報記憶部１２２）
実施形態に係るユーザ情報記憶部１２２は、ユーザ情報を記憶する。図５に、実施形態に係るユーザ情報記憶部１２２の一例を示す。図５に示すユーザ情報記憶部１２２は、「ユーザＩＤ」、「年齢」、「性別」、「関心」といった項目が含まれる。
【００３３】
「ユーザＩＤ」は、ユーザを識別するための識別情報を示す。例えば、ユーザＩＤ「Ｕ１」により識別されるユーザは、図１の例に示したユーザに対応する。また、「年齢」は、ユーザＩＤにより識別されるユーザの年齢を示す。なお、「年齢」は、例えば３５歳など、ユーザＩＤにより識別されるユーザの具体的な年齢であってもよい。また、「性別」は、ユーザＩＤにより識別されるユーザの性別を示す。また、「関心」は、ユーザＩＤにより識別されるユーザが関心のある対象を示す。また、「関心１」は、対応するユーザが最も関心のある対象を示し、「関心２」は、対応するユーザが「関心１」の次に関心のある対象を示す。また、「関心３」は、対応するユーザが「関心２」の次に関心のある対象を示す。
【００３４】
例えば、図５に示す例において、ユーザＩＤ「Ｕ１」により識別されるユーザの年齢は、「２０代」であり、性別は、「男性」であることを示す。また、例えば、図５に示す例において、ユーザＩＤ「Ｕ１」により識別されるユーザは、対象「俳優Ａ」に最も関心があり、対象「俳優Ａ」の次に対象「野球」に関心があり、対象「野球」の次に対象「旅行」に関心があることを示す。なお、配信装置１００は、図５に示すようなユーザが関心のある対象の推定を、種々の従来技術を適宜用いて行ってもよい。また、配信装置１００は、外部の情報処理装置からユーザが関心のある対象に関する情報を取得してもよい。
【００３５】
なお、ユーザ情報記憶部１２２は、上記に限らず、目的に応じて種々の情報を記憶してもよい。例えば、ユーザ情報記憶部１２２は、ユーザの関心の推定に用いる情報を記憶してもよく、例えばデモグラフィック属性情報やサイコグラフィック属性情報を記憶してもよい。例えば、ユーザ情報記憶部１２２は、氏名、家族構成、収入、趣味等の情報を記憶してもよい。また、例えば、ユーザ情報記憶部１２２は、検索履歴やウェブページの閲覧履歴等のユーザの行動履歴に関する情報を記憶してもよい。
【００３６】
（制御部１３０）
図３の説明に戻って、制御部１３０は、例えば、ＣＰＵ（Central  Processing  Unit）やＭＰＵ（Micro  Processing  Unit）等によって、配信装置１００内部の記憶装置に記憶されている各種プログラム（配信プログラムの一例に相当）がＲＡＭを作業領域として実行されることにより実現される。また、制御部１３０は、例えば、ＡＳＩＣ（Application  Specific  Integrated  Circuit）やＦＰＧＡ（Field  Programmable  Gate  Array）等の集積回路により実現される。
【００３７】
図３に示すように、制御部１３０は、受付部１３１と、取得部１３２と、決定部１３３と、配信部１３４とを有し、以下に説明する情報処理の機能や作用を実現または実行する。なお、制御部１３０の内部構成は、図３に示した構成に限られず、後述する情報処理を行う構成であれば他の構成であってもよい。また、制御部１３０が有する各処理部の接続関係は、図３に示した接続関係に限られず、他の接続関係であってもよい。
【００３８】
（受付部１３１）
受付部１３１は、端末装置１０から動画情報の配信要求を受け付ける。また、例えば、受付部１３１は、端末装置１０から動画情報のサムネイルの配信要求を受け付ける。また、受付部１３１は、動画情報の提供元から動画情報の登録を受け付けてもよい。
【００３９】
（取得部１３２）
取得部１３２は、ユーザに関するユーザ情報を取得する。例えば、取得部１３２は、ユーザ情報記憶部１２２からユーザに関するユーザ情報を取得する。また、取得部１３２は、端末装置１０や所定の外部装置から端末装置１０を利用するユーザのユーザ情報を取得してもよい。また、取得部１３２は、所定のネットワークサービスにおける動画情報に関する情報を取得する。例えば、取得部１３２は、ＳＮＳ（Social  Networking  Service）において動画情報に関して投稿された情報等を取得する。また、取得部１３２は、動画情報から生成されたサムネイルであって、当該サムネイルに含まれる対象に関する情報が関連付けられたサムネイルを取得してもよい。例えば、取得部１３２は、動画情報記憶部１２１に記憶された対象に関する情報が関連付けられたサムネイルに関する情報を取得してもよい。また、取得部１３２は、外部の情報処理装置から動画情報記憶部１２１に記憶された対象に関する情報が関連付けられたサムネイルに関する情報を取得してもよい。例えば、取得部１３２は、決定部１３３により生成されたサムネイルを当該サムネイルに含まれる対象に関する情報と関連付けて動画情報記憶部１２１に記憶してもよい。例えば、取得部１３２は、決定部１３３により生成されたサムネイルを当該サムネイルに対応するシーンに関連付けて動画情報記憶部１２１に記憶してもよい。
【００４０】
（決定部１３３）
決定部１３３は、ユーザ情報に基づいて、ユーザに配信する動画情報のサムネイルを決定する。例えば、決定部１３３は、取得部１３２により取得されたユーザ情報に基づいて、ユーザの端末装置１０に配信する動画情報のサムネイルを決定する。例えば、決定部１３３は、端末装置１０を利用するユーザが関心のある対象に関する情報に基づいて、ユーザの端末装置１０に配信する動画情報のサムネイルを決定する。例えば、決定部１３３は、対象に関する情報が関連付けられたサムネイルから、対象に関する情報とユーザ情報とに基づいて、ユーザに配信する動画情報のサムネイルを決定してもよい。例えば、決定部１３３は、対象ＴＧ１１である俳優Ａに関する情報が関連付けられたサムネイルＴＮ１１を、俳優Ａに関心のあるユーザＵ１に配信する動画ＭＶ１１のサムネイルとして決定してもよい。また、例えば、決定部１３３は、対象ＴＧ１３である歌手Ａに関する情報が関連付けられたサムネイルＴＮ１２を、歌手Ａに関心のあるユーザＵ２に配信する動画ＭＶ１１のサムネイルとして決定してもよい。
【００４１】
例えば、決定部１３３は、ユーザ情報記憶部１２２に記憶されたユーザの関心に関する情報に基づいて、ユーザの端末装置１０に配信する動画情報のサムネイルを決定する。また、例えば、決定部１３３は、ユーザのデモグラフィック属性情報やサイコグラフィック属性情報から推定されるユーザの関心に関する情報に基づいて、ユーザの端末装置１０に配信する動画情報のサムネイルを決定してもよい。また、例えば、決定部１３３は、ユーザの検索履歴やウェブページの閲覧履歴等のユーザの行動履歴から推定されるユーザの関心に関する情報に基づいて、ユーザの端末装置１０に配信する動画情報のサムネイルを決定してもよい。
【００４２】
また、決定部１３３は、サムネイルとすることを決定したシーンからサムネイルを生成してもよい。例えば、図１に示す例において、決定部１３３は、ユーザＵ１の端末装置１０Ａへ配信するサムネイルＴＮ１１をシーンＳＮ１１から生成してもよい。また、決定部１３３は、種々の従来技術を用いて、動画情報からサムネイルを生成してもよい。
【００４３】
また、決定部１３３は、サムネイルとともに表示される文字情報または画像情報に基づいて、サムネイルを決定する。例えば、決定部１３３は、文字情報である動画情報ＭＶ２１のタイトルに基づいて、サムネイルを決定する。例えば、図１に示す例において、決定部１３３は、動画ＭＶ１１のサムネイルとともに表示される動画情報ＭＶ２１のサムネイルＴＮ２１に基づいて、サムネイルを決定する。例えば、決定部１３３は、動画情報ＭＶ２１のサムネイルＴＮ２１が人の顔のアップが映ったサムネイルである場合、動画ＭＶ１１のサムネイルとして、人の顔のアップ以外のサムネイルを決定してもよい。これにより、動画ＭＶ１１のサムネイルが他のサムネイルと異なる印象をユーザに与え、動画ＭＶ１１のサムネイルにユーザが注目する可能性が高くなる。決定部１３３は、動画情報ＭＶ２１のサムネイルＴＮ２１が人の顔のアップが映ったサムネイルである場合、シーンＳＮ１１やシーンＳＮ１２以外のシーンＳＮ１３〜ＳＮ１５からサムネイルを生成してもよい。
【００４４】
また、決定部１３３は、取得部１３２により取得された所定のネットワークサービスにおける動画情報に関する情報に基づいて、サムネイルを決定してもよい。例えば、図１に示す例において、決定部１３３は、所定のネットワークサービスにおいて動画ＭＶ１１に含まれるシーンＳＮ１５に映っている車Ａに関する情報が急増している場合、シーンＳＮ１５からサムネイルを生成してもよい。決定部１３３は、ＳＮＳにおいて動画ＭＶ１１に含まれるシーンＳＮ１５に映っている車Ａに関する投稿が急増している場合、シーンＳＮ１５からサムネイルを生成してもよい。また、決定部１３３は、サムネイルとして、複数のサムネイルを決定する。なお、決定部１３３による複数のサムネイルの決定についての詳細は後述する。
【００４５】
（配信部１３４）
配信部１３４は、動画情報やサムネイルを配信する。配信部１３４は、決定部１３３により決定されたサムネイルを配信する。例えば、配信部１３４は、端末装置１０からの配信要求に応じて、端末装置１０へ動画情報やサムネイルを配信する。例えば、配信部１３４は、決定部１３３により決定されたサムネイルを端末装置１０へ配信する。例えば、図１に示す例において、配信部１３４は、ユーザＵ２の端末装置１０ＢへサムネイルＴＮ１２を配信する。
【００４６】
配信部１３４は、表示時間に応じて端末装置１０における表示領域に表示されるサムネイルが変動する複数のサムネイルを配信する。例えば、配信部１３４は、複数のサムネイルと、表示時間に応じて端末装置１０における表示領域に表示するサムネイルが変動させる制御情報とを端末装置１０へ配信してもよい。また、配信部１３４は、端末装置１０における表示領域の位置を変動させるユーザ操作に応じて表示領域に表示されるサムネイルが変動する複数のサムネイルを配信する。例えば、配信部１３４は、複数のサムネイルと、端末装置１０における表示領域の位置を変動させるユーザ操作に応じて表示領域に表示されるサムネイルが変動させる制御情報とを端末装置１０へ配信してもよい。また、配信部１３４は、所定のユーザ操作がされた際に、表示領域に表示されるサムネイルに対応する位置から再生される動画情報を配信する。なお、配信部１３４による複数のサムネイルの配信についての詳細は後述する。
【００４７】
〔４．端末装置の構成〕
次に、図６を用いて、実施形態に係る端末装置１０の構成について説明する。図６は、実施形態に係る端末装置１０の構成例を示す図である。図６に示すように、端末装置１０は、通信部１１と、記憶部１２と、入力部１３と、出力部１４と、制御部１５とを有する。
【００４８】
（通信部１１）
通信部１１は、例えば、通信回路等によって実現される。そして、通信部１１は、図示しない所定の通信網と有線または無線で接続され、配信装置１００との間で情報の送受信を行う。
【００４９】
（記憶部１２）
記憶部１２は、例えば、ＲＡＭ、フラッシュメモリ等の半導体メモリ素子、または、ハードディスク、光ディスク等の記憶装置によって実現される。記憶部１２は、例えば、端末装置１０にインストールされているアプリケーションに関する情報、例えばプログラム等を記憶する。
【００５０】
（入力部１３）
入力部１３は、ユーザからの各種操作を受け付ける。例えば、入力部１３は、タッチパネル機能により表示面（例えば出力部１４や表示部１５３）を介してユーザからの各種操作を受け付けてもよい。また、入力部１３は、端末装置１０に設けられたボタンや、端末装置１０に接続されたキーボードやマウスからの各種操作を受け付けてもよい。
【００５１】
（出力部１４）
出力部１４は、例えば液晶ディスプレイや有機ＥＬ（Electro-Luminescence）ディスプレイ等によって実現されるタブレット端末等の表示画面であり、各種情報を表示するための表示装置である。
【００５２】
（制御部１５）
制御部１５は、例えば、ＣＰＵやＭＰＵ等によって、端末装置１０内部の記憶部１２などの記憶装置に記憶されている各種プログラムがＲＡＭを作業領域として実行されることにより実現される。例えば、この各種プログラムは、インストールされているアプリケーションのプログラムが含まれる。また、制御部１５は、例えば、ＡＳＩＣやＦＰＧＡ等の集積回路により実現される。
【００５３】
図６に示すように、制御部１５は、送信部１５１と、受信部１５２と、表示部１５３とを有し、以下に説明する配信処理の機能や作用を実現または実行する。なお、制御部１５の内部構成は、図６に示した構成に限られず、後述する配信処理を行う構成であれば他の構成であってもよい。また、制御部１５が有する各処理部の接続関係は、図６に示した接続関係に限られず、他の接続関係であってもよい。
【００５４】
送信部１５１は、各種情報を外部装置へ送信する。例えば、送信部１５１は、入力部１３により受け付けたユーザ操作に従って、配信装置１００へ動画情報やサムネイルの配信要求を送信する。
【００５５】
受信部１５２は、各種情報を外部装置から受信する。例えば、受信部１５２は、端末装置１０を利用するユーザに関するユーザ情報に基づいて決定された動画情報のサムネイルを受信する。例えば、受信部１５２は、配信装置１００から動画情報のサムネイルを受信する。また、受信部１５２は、サムネイルとともに表示される文字情報または画像情報に基づいて決定されたサムネイルを受信する。また、受信部１５２は、所定のネットワークサービスにおける動画情報に関する情報に基づいて決定されたサムネイルを受信する。また、受信部１５２は、サムネイルとして複数のサムネイルを受信してもよい。
【００５６】
表示部１５３は、受信部１５２により受信された各種情報を表示する。例えば、表示部１５３は、受信部１５２により受信されたサムネイルを表示する。例えば、表示部１５３は、出力部１４を介して動画情報やサムネイルを表示する。例えば、図１に示す例において、ユーザＵ１が利用する端末装置１０Ａの表示部１５３は、表示領域ＡＲ１１にサムネイルＴＮ１１を表示する。
【００５７】
表示部１５３は、所定の条件に基づいて、複数のサムネイルを表示する。また、表示部１５３は、表示時間に応じて表示領域に表示するサムネイルを変動させる。表示部１５３は、表示領域の位置を変動させるユーザ操作に応じて表示領域に表示するサムネイルを変動させる。また、表示部１５３は、所定のユーザ操作がされた際に、表示領域に表示されるサムネイルに対応する位置から動画情報を再生する。なお、表示部１５３による複数のサムネイルの表示についての詳細は後述する。
【００５８】
なお、上述した制御部１５による表示処理等の処理は、例えば、ＪａｖａＳｃｒｉｐｔ（登録商標）などにより実現されてもよい。例えば、表示時間に応じて端末装置における表示領域に表示するサムネイルを変動させる処理は、ＪａｖａＳｃｒｉｐｔ（登録商標）などにより行われてもよい。また、例えば、端末装置１０における表示領域の位置を変動させるユーザ操作に応じて表示領域に表示されるサムネイルが変動させる処理は、ＪａｖａＳｃｒｉｐｔ（登録商標）などにより行われてもよい。また、上述した表示処理が所定のアプリケーションにより行われる場合や表示処理が専用アプリにより行われる場合、制御部１５は、例えば、所定のアプリや専用アプリを制御するアプリ制御部を有してもよい。
【００５９】
〔５．変形例〕
上述した実施形態に係る配信システム１において配信装置１００は、１つの動画情報について複数のサムネイルを決定してもよい。この点について、図７〜図１１を用いて説明する。なお、図７〜図１１に示す例においては、実施形態と同一部分については、同一符号を付して説明を省略する。
【００６０】
〔５−１．配信処理〕
まず、図７を用いて、変形例に係る配信処理の一例について説明する。図７は、変形例に係る配信処理の一例を示す図である。図７では、配信装置１００が、ユーザＵ４のユーザ情報に基づいて、動画ＭＶ１１から複数のサムネイルを決定する場合を示す。図７では、配信装置１００がユーザ情報としてユーザが関心のある対象に関する情報を用いる場合を示す。以下では、ユーザＵ４が利用する端末装置１０を端末装置１０Ｄとする。なお、端末装置１０Ｄを利用するユーザを区別しない場合、端末装置１０Ｄを端末装置１０とする。
【００６１】
図７に示す動画ＭＶ１１は、対象ＴＧ１１〜ＴＧ１５が映った複数のシーンＳＮ１１〜ＳＮ１５等を含む映画である。図７に示すように、ユーザＵ４は、歌手Ａに最も関心があり、次に車に関心があり、その次に俳優Ａに関心があるユーザである。そこで、配信装置１００は、ユーザＵ４の端末装置１０Ｄに配信する動画ＭＶ１１のサムネイルを、シーンＳＮ１１に基づくサムネイルＴＮ１１と、シーンＳＮ１３に基づくサムネイルＴＮ１２と、シーンＳＮ１５に基づくサムネイルＴＮ１３とに決定する。そして、配信装置１００は、サムネイルＴＮ１１とサムネイルＴＮ１２とサムネイルＴＮ１３との３つのサムネイルをユーザＵ４の端末装置１０Ｄに配信する（ステップＳ２１〜ステップＳ２３）。
【００６２】
そして、ユーザＵ４の端末装置１０Ｄには、動画ＭＶ１１のサムネイルとして、サムネイルＴＮ１１〜ＴＮ１３が配信される。図１では、端末装置１０Ａの画面には、ユーザＵ４へのおすすめ画像として、動画ＭＶ１１を表示する表示領域ＡＲ１１にユーザＵ４が最も関心のある歌手Ａを含むサムネイルＴＮ１２が表示される。このように、歌手Ａに最も関心のあるユーザＵ４の端末装置１０Ｄには、動画ＭＶ１１のサムネイルとして、最初に歌手Ａを含むサムネイルＴＮ１２が表示される。なお、端末装置１０Ｄの画面には、ユーザＵ４へのおすすめ画像として、動画ＭＶ１１以外の他の動画情報ＭＶ２１を表示する表示領域ＡＲ２１には動画情報ＭＶ２１に関するサムネイルＴＮ２１が表示される。
【００６３】
〔５−２．時間に基づく表示変更〕
次に、複数のサムネイルＴＮ１１〜ＴＮ１３の表示変更について図８及び図９を用いて説明する。図８は、変形例に係る端末装置における時間に基づく表示変更の一例を示す図である。また、図８に示す例においては、端末装置１０ＤにおけるサムネイルＴＮ１１〜ＴＮ１３の表示変更に応じて、端末装置１０Ｄを第１状態の端末装置１０Ｄ−１〜第４状態の端末装置１０Ｄ−４として説明する。なお、以下では、第１状態の端末装置１０Ｄ−１〜第４状態の端末装置１０Ｄ−４について、特に区別なく説明する場合には、端末装置１０Ｄと記載する。
【００６４】
図８に示す例では、時刻ｔ１における端末装置１０Ｄ−１は、図７に示す端末装置１０Ｄに対応する。すなわち、図８中の時刻ｔ１において、歌手Ａに最も関心のあるユーザＵ４の端末装置１０Ｄには、動画ＭＶ１１のサムネイルとして、最初に歌手Ａを含むサムネイルＴＮ１２が表示領域ＡＲ１１に表示される。
【００６５】
その後、所定の時間が経過した場合（ステップＳ３１）、端末装置１０Ｄの表示態様は、端末装置１０Ｄ−１の表示態様から端末装置１０Ｄ−２の表示態様に切り替わる。具体的には、図８中の時刻ｔ２における端末装置１０Ｄ−２には、動画ＭＶ１１のサムネイルとして、ユーザＵ４が歌手Ａの次に関心のある対象である車を含むサムネイルＴＮ１３が表示領域ＡＲ１１に表示される。
【００６６】
その後、所定の時間が経過した場合（ステップＳ３２）、端末装置１０Ｄの表示態様は、端末装置１０Ｄ−２の表示態様から端末装置１０Ｄ−３の表示態様に切り替わる。具体的には、図８中の時刻ｔ３における端末装置１０Ｄ−３には、動画ＭＶ１１のサムネイルとして、ユーザＵ４が車の次に関心のある対象である俳優Ａを含むサムネイルＴＮ１１が表示領域ＡＲ１１に表示される。
【００６７】
その後、所定の時間が経過した場合（ステップＳ３３）、端末装置１０Ｄの表示態様は、端末装置１０Ｄ−３の表示態様から端末装置１０Ｄ−４の表示態様に切り替わる。ここで、ユーザＵ４が関心のある対象は、歌手Ａ、車、及び俳優Ａの３つあるため、端末装置１０Ｄは、全てのサムネイルＴＮ１１〜ＴＮ１３を表示したこととなる。そのため、端末装置１０Ｄは、再び最初のサムネイルから表示を繰り返す。具体的には、図８中の時刻ｔ４における端末装置１０Ｄ−４には、動画ＭＶ１１のサムネイルとして、ユーザＵ４が最も関心のある対象である歌手Ａを含むサムネイルＴＮ１２が表示領域ＡＲ１１に表示される。すなわち、端末装置１０Ｄ−４の表示領域ＡＲ１１に表示されるサムネイルと端末装置１０Ｄ−１の表示領域ＡＲ１１に表示されるサムネイルとは同じサムネイルＴＮ１２である。このように、端末装置１０Ｄには、時間に応じて複数のサムネイルＴＮ１１〜ＴＮ１３の表示を切り替える。これにより、端末装置１０Ｄを利用するユーザＵ４は、自身の関心のある対象に関する複数のサムネイルを視認することになるため、ユーザＵ４が動画ＭＶ１１に注目する可能性が高くなる。
【００６８】
なお、端末装置１０Ｄを利用するユーザＵ４が、サムネイルＴＮ１２が表示された際に表示領域ＡＲ１１にタッチする等して動画ＭＶ１１を再生させる操作を行った場合、端末装置１０Ｄは、サムネイルＴＮ１２に対応するシーンＳＮ１３から動画ＭＶ１１を再生させてもよい。
【００６９】
〔５−２−１．時間に基づく表示処理のフロー〕
次に、図９を用いて、時間に基づく表示処理のフローについて説明する。図９は、変形例に係る端末装置における時間に基づく表示変更の一例を示すフローチャートである。
【００７０】
図９に示すように、端末装置１０は、複数のサムネイルを受信する（ステップＳ１０１）。その後、端末装置１０は、表示順が最初のサムネイルを表示する（ステップＳ１０２）。例えば、端末装置１０は、表示順を関心の高い順としてサムネイルを表示する。図８に示す例において、端末装置１０は、ユーザＵ４が最も関心の高い歌手Ａが映っているサムネイルＴＮ１２を表示する。その後、所定時間が経過するまで（ステップＳ１０３：Ｎｏ）、端末装置１０は、サムネイルＴＮ１２を表示する。なお、端末装置１０は、所定時間が経過するまで（ステップＳ１０３：Ｎｏ）の間に、サムネイルの表示領域が画面外に移動した場合、サムネイルの表示変更を終了してもよい。
【００７１】
その後、所定時間が経過した場合（ステップＳ１０３：Ｙｅｓ）、端末装置１０は、表示中サムネイルが表示順が最後のサムネイルかどうかを判定する（ステップＳ１０４）。端末装置１０は、表示中サムネイルが表示順が最後のサムネイルでない場合（ステップＳ１０４：Ｎｏ）、表示中サムネイルの次の表示順のサムネイルを表示する（ステップＳ１０５）。図８に示す例において、端末装置１０は、表示中サムネイルがサムネイルＴＮ１２である場合、サムネイルＴＮ１２に映っている歌手Ａの次に関心の高い車が映っているサムネイルＴＮ１３を表示する。
【００７２】
また、端末装置１０は、表示中サムネイルが表示順が最後のサムネイルである場合（ステップＳ１０４：Ｙｅｓ）、表示順が最初のサムネイルを表示する（ステップＳ１０６）。図８に示す例において、端末装置１０は、表示中サムネイルがサムネイルＴＮ１１である場合、サムネイルＴＮ１２を表示する。その後、端末装置１０は、サムネイルの表示領域が画面外に位置する場合（ステップＳ１０７：Ｙｅｓ）、サムネイルの表示変更を終了する。端末装置１０は、サムネイルの表示領域が画面内に位置する場合（ステップＳ１０７：Ｎｏ）、ステップＳ１０３から処理を繰り返す。
【００７３】
〔５−３．ユーザ操作に基づく表示変更〕
次に、複数のサムネイルＴＮ１１〜ＴＮ１３の他の表示変更について図１０及び図１１を用いて説明する。図１０は、変形例に係る端末装置におけるユーザ操作に基づく表示変更の一例を示す図である。また、図１０に示す例においては、端末装置１０ＤにおけるサムネイルＴＮ１１〜ＴＮ１３の表示変更に応じて、端末装置１０Ｄを第１状態の端末装置１０Ｄ−１１〜第４状態の端末装置１０Ｄ−１４として説明する。なお、以下では、第１状態の端末装置１０Ｄ−１１〜第４状態の端末装置１０Ｄ−１４について、特に区別なく説明する場合には、端末装置１０Ｄと記載する。
【００７４】
図１０に示す例では、端末装置１０Ｄ−１１は、図７に示す端末装置１０Ｄに対応する。すなわち、図１０中において、歌手Ａに最も関心のあるユーザＵ４の端末装置１０Ｄ−１１には、動画ＭＶ１１のサムネイルとして、最初に歌手Ａを含むサムネイルＴＮ１２が表示領域ＡＲ１１に表示される。
【００７５】
その後、端末装置１０の画面にタッチした指Ｆ１を下から上へ移動させるスクロール操作等により、表示領域ＡＲ１１の位置を変動させるユーザ操作（以下、単に「操作」とする場合がある）が行われた場合（ステップＳ４１）、端末装置１０Ｄは、表示領域ＡＲ１１の表示を変更する（ステップＳ４２）。具体的には、端末装置１０Ｄの表示態様は、端末装置１０Ｄ−１１の表示態様から端末装置１０Ｄ−１２の表示態様に切り替わる。すなわち、端末装置１０Ｄ−１２には、動画ＭＶ１１のサムネイルとして、ユーザＵ４が歌手Ａの次に関心のある対象である車を含むサムネイルＴＮ１３が表示領域ＡＲ１１に表示される。
【００７６】
その後、表示領域ＡＲ１１の位置を変動させる操作が行われた場合（ステップＳ４３）、端末装置１０Ｄは、表示領域ＡＲ１１の表示を変更する（ステップＳ４４）。具体的には、端末装置１０Ｄの表示態様は、端末装置１０Ｄ−１２の表示態様から端末装置１０Ｄ−１３の表示態様に切り替わる。すなわち、端末装置１０Ｄ−１３には、動画ＭＶ１１のサムネイルとして、ユーザＵ４が車の次に関心のある対象である俳優Ａを含むサムネイルＴＮ１１が表示領域ＡＲ１１に表示される。
【００７７】
その後、表示領域ＡＲ１１の位置を変動させる操作が行われた場合（ステップＳ４５）、端末装置１０Ｄは、表示領域ＡＲ１１の表示を変更する（ステップＳ４６）。具体的には、端末装置１０Ｄの表示態様は、端末装置１０Ｄ−１３の表示態様から端末装置１０Ｄ−１４の表示態様に切り替わる。ここで、ユーザＵ４が関心のある対象は、歌手Ａ、車、及び俳優Ａの３つあるため、端末装置１０Ｄは、全てのサムネイルＴＮ１１〜ＴＮ１３を表示したこととなる。そのため、端末装置１０Ｄは、再び最初のサムネイルから表示を繰り返す。具体的には、端末装置１０Ｄ−１４には、動画ＭＶ１１のサムネイルとして、ユーザＵ４が最も関心のある対象である歌手Ａを含むサムネイルＴＮ１２が表示領域ＡＲ１１に表示される。すなわち、端末装置１０Ｄ−１４の表示領域ＡＲ１１に表示されるサムネイルと端末装置１０Ｄ−１１の表示領域ＡＲ１１に表示されるサムネイルとは同じサムネイルＴＮ１２である。このように、端末装置１０Ｄには、表示領域の位置を変更させるユーザ操作に応じて複数のサムネイルＴＮ１１〜ＴＮ１３の表示を切り替える。これにより、端末装置１０Ｄを利用するユーザＵ４は、自身の関心のある対象に関する複数のサムネイルを視認することになるため、ユーザＵ４が動画ＭＶ１１に注目する可能性が高くなる。
【００７８】
なお、端末装置１０Ｄを利用するユーザＵ４が、サムネイルＴＮ１３が表示された際に表示領域ＡＲ１１にタッチする等して動画ＭＶ１１を再生させる操作を行った場合、端末装置１０Ｄは、サムネイルＴＮ１３に対応するシーンＳＮ１５から動画ＭＶ１１を再生させてもよい。
【００７９】
〔５−３−１．ユーザ操作に基づく表示処理のフロー〕
次に、図１１を用いて、ユーザ操作に基づく表示処理のフローについて説明する。図１１は、変形例に係る端末装置におけるユーザ操作に基づく表示変更の一例を示すフローチャートである。
【００８０】
図１１に示すように、端末装置１０は、複数のサムネイルを受信する（ステップＳ２０１）。その後、端末装置１０は、表示順が最初のサムネイルを表示する（ステップＳ２０２）。例えば、端末装置１０は、表示順を関心の高い順としてサムネイルを表示する。図１０に示す例において、端末装置１０は、ユーザＵ４が最も関心の高い歌手Ａが映っているサムネイルＴＮ１２を表示する。その後、スクロール操作等のユーザ操作がされるまで（ステップＳ２０３：Ｎｏ）、端末装置１０は、サムネイルＴＮ１２を表示する。なお、端末装置１０は、ユーザ操作がされるまで（ステップＳ２０３：Ｎｏ）の間に、サムネイルの表示領域が画面外に移動した場合、サムネイルの表示変更を終了してもよい。
【００８１】
その後、ユーザ操作がされた場合（ステップＳ２０３：Ｙｅｓ）、端末装置１０は、表示中サムネイルが表示順が最後のサムネイルかどうかを判定する（ステップＳ２０４）。端末装置１０は、表示中サムネイルが表示順が最後のサムネイルでない場合（ステップＳ２０４：Ｎｏ）、表示中サムネイルの次の表示順のサムネイルを表示する（ステップＳ２０５）。図１０に示す例において、端末装置１０は、表示中サムネイルがサムネイルＴＮ１３である場合、サムネイルＴＮ１３に映っている車の次に関心の高い俳優Ａが映っているサムネイルＴＮ１１を表示する。
【００８２】
また、端末装置１０は、表示中サムネイルが表示順が最後のサムネイルである場合（ステップＳ２０４：Ｙｅｓ）、表示順が最初のサムネイルを表示（ステップＳ２０６）。図１０に示す例において、端末装置１０は、表示中サムネイルがサムネイルＴＮ１１である場合、サムネイルＴＮ１２を表示する。その後、端末装置１０は、サムネイルの表示領域が画面外に位置する場合（ステップＳ２０７：Ｙｅｓ）、サムネイルの表示変更を終了する。端末装置１０は、サムネイルの表示領域が画面内に位置する場合（ステップＳ２０７：Ｎｏ）、ステップＳ２０３から処理を繰り返す。
【００８３】
〔５−４．サムネイルの決定及び表示〕
なお、配信装置１００は、ユーザ属性が類似するユーザに関する情報に基づいてサムネイルを決定してもよい。配信装置１００は、ユーザ属性が類似するユーザがＳＮＳにおいて動画に含まれる特定のシーンに関する投稿や動画に含まれる特定の対象に関する投稿が急増している場合、そのシーンや特定の対象が含まれるシーンからサムネイルを生成してもよい。配信装置１００は、ＳＮＳにおいて動画に含まれる俳優Ｃについて所定数以上の投稿を、配信先のユーザのユーザ属性に類似するユーザにより行われた場合、配信装置１００は、配信先のユーザに俳優Ｃが含まれるシーンから生成したサムネイルを配信してもよい。これにより、配信装置１００は、配信先のユーザが注目する可能性の高いサムネイルを配信先のユーザの端末装置１０へ配信することができる。したがって、端末装置１０は、ユーザが注目する可能性の高いサムネイルを表示することができるため、ユーザがサムネイルに注目する可能性を高めることができる。
【００８４】
なお、上記の例においては、配信装置１００は、複数のサムネイルを表示する場合、ユーザの関心度に基づいてサムネイルを表示する順序を決定する例を示したが、サムネイルを表示する順序は、目的に応じて所定の基準に基づいて決定してもよい。例えば、配信装置１００は、動画の時系列に基づいてサムネイルを表示する順序を決定してもよい。また、例えば、配信装置１００は、サムネイルの類似度に基づいて、サムネイルを表示する順序を決定してもよい。例えば、配信装置１００は、類似度が高いサムネイルが連続して表示されないようにサムネイルを表示する順序を決定してもよい。すなわち、配信装置１００は、類似度が低いサムネイルが連続して表示されるようにサムネイルを表示する順序を決定してもよい。これにより、端末装置１０は、変化の多い表示態様で複数のサムネイルを連続して表示させることができるため、ユーザがサムネイルに注目する可能性を高めることができる。
【００８５】
また、配信装置１００は、ユーザの関心度に基づいて、サムネイルを変更するタイミングを変動させた複数のサムネイルを端末装置１０へ配信してもよい。例えば、配信部１３４は、複数のサムネイルと、ユーザの関心度に基づいてサムネイルを変更するタイミングを変動させる制御情報とを端末装置１０へ配信してもよい。例えば、配信装置１００は、ユーザが最も関心の高い対象が含まれるサムネイルを最も長く表示されるようにタイミングが設定された複数のサムネイルを端末装置１０へ配信してもよい。また、端末装置１０は、複数のサムネイルが画面に表示される場合、所定数のサムネイルのみ表示を変化させてもよい。例えば、端末装置１０は、複数のサムネイルが画面に表示される場合、画面の中央に位置する表示領域にのみ複数のサムネイルを連続して表示させてもよい。
【００８６】
〔６．効果〕
上述してきたように、実施形態及び変形例に係る配信装置１００は、決定部１３３を有する。決定部１３３は、ユーザに関するユーザ情報に基づいて、ユーザに配信する動画情報（実施形態においては「動画ＭＶ１１」。以下同じ。）のサムネイルを決定する。
【００８７】
これにより、実施形態及び変形例に係る配信装置１００は、各ユーザのユーザ情報に基づいてサムネイルを決定することにより、各ユーザが注目する可能性が高いサムネイルを決定することができる。したがって、配信装置１００は、ユーザに応じて適切なサムネイルを決定することができる。
【００８８】
また、実施形態及び変形例に係る配信装置１００は、取得部１３２を有する。取得部１３２は、動画情報から生成されたサムネイルであって、当該サムネイルに含まれる対象に関する情報が関連付けられたサムネイルを取得する。決定部１３３は、対象に関する情報が関連付けられたサムネイルから、対象に関する情報とユーザ情報とに基づいて、ユーザに配信する動画情報のサムネイルを決定する。
【００８９】
これにより、実施形態及び変形例に係る配信装置１００は、対象に関する情報が関連付けられたサムネイルから、対象に関する情報とユーザ情報とに基づいて、ユーザに配信する動画情報のサムネイルを決定することにより、各ユーザが注目する可能性が高い対象が含まれるサムネイルを決定することができる。したがって、配信装置１００は、ユーザに応じて適切なサムネイルを決定することができる。
【００９０】
また、実施形態及び変形例に係る配信装置１００において、決定部１３３は、動画情報のサムネイルとともに表示される文字情報または画像情報に基づいて、サムネイルを決定する。
【００９１】
これにより、実施形態及び変形例に係る配信装置１００は、サムネイルとともに表示される情報に基づいてサムネイルを決定することにより、各ユーザが注目する可能性が高いサムネイルを決定することができる。したがって、配信装置１００は、ユーザに応じて適切なサムネイルを決定することができる。
【００９２】
また、実施形態及び変形例に係る配信装置１００において、決定部１３３は、所定のネットワークサービスにおける動画情報に関する情報に基づいて、サムネイルを決定する。
【００９３】
これにより、実施形態及び変形例に係る配信装置１００は、ネットワークサービスにおける動画情報の中で話題になっている部分をサムネイルとすることにより、各ユーザが注目する可能性が高いサムネイルを決定することができる。したがって、配信装置１００は、ユーザに応じて適切なサムネイルを決定することができる。
【００９４】
また、実施形態及び変形例に係る配信装置１００は、配信部１３４を有する。配信部１３４は、決定部１３３により決定されたサムネイルを配信する。また、決定部１３３は、サムネイルとして、複数のサムネイルを決定する。
【００９５】
これにより、実施形態及び変形例に係る配信装置１００は、決定した複数のサムネイルを各ユーザの端末装置１０へ配信する。これにより、配信装置１００は、各ユーザが注目する可能性が高いサムネイルを各ユーザの端末装置１０に表示させることができる。したがって、配信装置１００は、ユーザに応じて適切なサムネイルを決定することができる。
【００９６】
また、実施形態及び変形例に係る配信装置１００において、配信部１３４は、表示時間に応じて端末装置１０における表示領域（変形例においては、「表示領域ＡＲ１１」。以下同じ）に表示されるサムネイルが変動する複数のサムネイル（変形例においては、「サムネイルＴＮ１１〜ＴＮ１３」。以下同じ）を配信する。
【００９７】
これにより、実施形態及び変形例に係る配信装置１００は、表示時間により表示が変更される複数のサムネイルを各ユーザの端末装置１０へ配信する。つまり、端末装置１０を利用するユーザは、自身の関心のある対象に関する複数のサムネイルを視認することになるため、ユーザが動画情報に注目する可能性が高くなる。したがって、配信装置１００は、ユーザに応じて適切なサムネイルを決定することができる。
【００９８】
また、実施形態及び変形例に係る配信装置１００において、配信部１３４は、端末装置１０における表示領域の位置を変動させるユーザ操作に応じて表示領域に表示されるサムネイルが変動する複数のサムネイルを配信する。
【００９９】
これにより、実施形態及び変形例に係る配信装置１００は、ユーザ操作により表示が変更される複数のサムネイルを各ユーザの端末装置１０へ配信する。つまり、端末装置１０を利用するユーザは、自身の関心のある対象に関する複数のサムネイルを視認することになるため、ユーザが動画情報に注目する可能性が高くなる。したがって、配信装置１００は、ユーザに応じて適切なサムネイルを決定することができる。
【０１００】
また、実施形態及び変形例に係る配信装置１００において、配信部１３４は、所定のユーザ操作がされた際に、表示領域に表示されるサムネイルに対応する位置から再生される動画情報を配信する。
【０１０１】
これにより、実施形態及び変形例に係る配信装置１００は、ユーザが選択したサムネイルの内容に基づいて、ユーザが所望する位置から再生される動画情報を端末装置１０へ配信する。つまり、端末装置１０を利用するユーザは、サムネイルにより自身の関心のある部分から動画を再生させることができる。
【０１０２】
また、実施形態に係る端末装置１０は、受信部１５２と、表示部１５３とを有する。受信部１５２は、端末装置１０を利用するユーザに関するユーザ情報に基づいて決定された動画情報のサムネイルを受信する。表示部１５３は、受信部１５２により受信されたサムネイルを表示する。
【０１０３】
これにより、実施形態及び変形例に係る端末装置１０は、ユーザ情報に基づいて決定されたサムネイルを表示する。これにより、端末装置１０は、各ユーザが注目する可能性が高いサムネイルを表示することができる。したがって、端末装置１０は、ユーザに応じて適切なサムネイルを表示することができる。
【０１０４】
〔７．ハードウェア構成〕
上述してきた実施形態に係る配信装置１００は、例えば図１２に示すような構成のコンピュータ１０００によって実現される。図１２は、配信装置の機能を実現するコンピュータの一例を示すハードウェア構成図である。コンピュータ１０００は、ＣＰＵ１１００、ＲＡＭ１２００、ＲＯＭ１３００、ＨＤＤ１４００、通信インターフェイス（Ｉ／Ｆ）１５００、入出力インターフェイス（Ｉ／Ｆ）１６００、及びメディアインターフェイス（Ｉ／Ｆ）１７００を有する。
【０１０５】
ＣＰＵ１１００は、ＲＯＭ１３００またはＨＤＤ１４００に格納されたプログラムに基づいて動作し、各部の制御を行う。ＲＯＭ１３００は、コンピュータ１０００の起動時にＣＰＵ１１００によって実行されるブートプログラムや、コンピュータ１０００のハードウェアに依存するプログラム等を格納する。
【０１０６】
ＨＤＤ１４００は、ＣＰＵ１１００によって実行されるプログラム、及び、かかるプログラムによって使用されるデータ等を格納する。通信インターフェイス１５００は、ネットワークＮを介して他の機器からデータを受信してＣＰＵ１１００へ送り、ＣＰＵ１１００が生成したデータをネットワークＮを介して他の機器へ送信する。
【０１０７】
ＣＰＵ１１００は、入出力インターフェイス１６００を介して、ディスプレイやプリンタ等の出力装置、及び、キーボードやマウス等の入力装置を制御する。ＣＰＵ１１００は、入出力インターフェイス１６００を介して、入力装置からデータを取得する。また、ＣＰＵ１１００は、生成したデータを入出力インターフェイス１６００を介して出力装置へ出力する。
【０１０８】
メディアインターフェイス１７００は、記録媒体１８００に格納されたプログラムまたはデータを読み取り、ＲＡＭ１２００を介してＣＰＵ１１００に提供する。ＣＰＵ１１００は、かかるプログラムを、メディアインターフェイス１７００を介して記録媒体１８００からＲＡＭ１２００上にロードし、ロードしたプログラムを実行する。記録媒体１８００は、例えばＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等である。
【０１０９】
例えば、コンピュータ１０００が実施形態に係る配信装置１００として機能する場合、コンピュータ１０００のＣＰＵ１１００は、ＲＡＭ１２００上にロードされたプログラムを実行することにより、制御部１３０の機能を実現する。コンピュータ１０００のＣＰＵ１１００は、これらのプログラムを記録媒体１８００から読み取って実行するが、他の例として、他の装置からネットワークＮを介してこれらのプログラムを取得してもよい。
【０１１０】
以上、本願の実施形態及び変形例のいくつかを図面に基づいて詳細に説明したが、これらは例示であり、発明の開示の行に記載の態様を始めとして、当業者の知識に基づいて種々の変形、改良を施した他の形態で本発明を実施することが可能である。
【０１１１】
〔８．その他〕
また、上記実施形態及び変形例において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。例えば、各図に示した各種情報は、図示した情報に限られない。
【０１１２】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【０１１３】
また、上述してきた実施形態及び変形例は、処理内容を矛盾させない範囲で適宜組み合わせることが可能である。
【０１１４】
また、上述してきた「部（section、module、unit）」は、「手段」や「回路」などに読み替えることができる。例えば、取得部は、取得手段や取得回路に読み替えることができる。
【符号の説明】
【０１１５】
１  配信システム
１００  配信装置（決定装置）
１２１  動画情報記憶部
１２２  ユーザ情報記憶部
１３０  制御部
１３１  受付部
１３２  取得部
１３３  決定部
１３４  配信部
１０  端末装置
１５１  送信部
１５２  受信部
１５３  表示部
Ｎ  ネットワーク
【図１】
0006333221.tif 000002
【図２】
0006333221.tif 000003
【図３】
0006333221.tif 000004
【図４】
0006333221.tif 000005
【図５】
0006333221.tif 000006
【図６】
0006333221.tif 000007
【図７】
0006333221.tif 000008
【図８】
0006333221.tif 000009
【図９】
0006333221.tif 000010
【図１０】
0006333221.tif 000011
【図１１】
0006333221.tif 000012
【図１２】
0006333221.tif 000013